(57)【要約】【課題】カップリッド及びティーパック付きカップリッドを提供することを課題とする。【解決手段】カップリッドであって、蓋体とタグ収納構造とを含む。蓋体の頂面の異なる位置に飲み口構造及び貫通孔が形成され、飲み口構造がリフトアップ蓋と、リフトアップ蓋上に形成される突起と、リフトアップ蓋の一側に位置する突起嵌挿口とを含み；タグ収納構造は、蓋体の頂面に設けられ、蓋体の頂面から凸出する複数の挟持アームを含み、タグがタグ収納構造に挿設された場合、各挟持アームがタグの両側を挟持する。本発明は、ティーパック付きカップリッドを更に提供する。【選択図】図１
2018177370.tif 000002
【特許請求の範囲】
【請求項１】
頂面の異なる位置に飲み口構造及び貫通孔が形成され、前記飲み口構造がリフトアップ蓋と、前記リフトアップ蓋上に形成される突起と、前記リフトアップ蓋の一側に位置する突起嵌挿口とを含む蓋体と、
前記蓋体の頂面に設けられ、前記蓋体の頂面から凸出する複数の挟持アームを含み、タグがタグ収納構造に挿設された場合、前記各挟持アームが前記タグの両側を挟持するタグ収納構造と、
蓋体の頂面下方に設けられ、前記蓋体の内部に位置し、その上端と前記蓋体が前記飲み口構造と前記貫通孔との間に連結される仕切板と、を含むことを特徴とする、
カップリッド。
【請求項２】
前記蓋体の頂面に形成される凹溝を更に含み、前記タグ収納構造が前記凹溝内に設けられることを特徴とする、請求項１に記載のカップリッド。
【請求項３】
前記蓋体の頂面に形成される凹溝を更に含み、前記飲み口構造が前記凹溝内に設けられ、前記タグ収納構造が前記飲み口構造の前記リフトアップ蓋上に設けられることを特徴とする、請求項１に記載のカップリッド。
【請求項４】
第１ガイド溝と第２ガイド溝とを更に含み、前記第１ガイド溝は前記蓋体の頂面に位置し、前記凹溝の底端から前記貫通孔に向けて延伸し、前記第２ガイド溝が前記凹溝の前端から前記蓋体の外周まで延伸することを特徴とする、請求項２又は３に記載のカップリッド。
【請求項５】
前記飲み口構造の方向と反対して前記突起嵌挿口から前記蓋体の外周まで延伸する第３ガイド溝を更に含むことを特徴とする、請求項１に記載のカップリッド。
【請求項６】
前記蓋体の内部に位置し、各々前記蓋体及び前記仕切板に連結される少なくとも１本の支持板を更に含み、前記支持板と前記蓋体と前記仕切板が異なる平面に位置することを特徴とする、請求項１に記載のカップリッド。
【請求項７】
前記蓋体の底部に突出外縁部を有し、前記突出外縁部にフック部が設けられることを特徴とする、請求項１に記載のカップリッド。
【請求項８】
請求項１に記載のカップリッドと、
本体と紐とタグとを含み、前記本体が前記蓋体の内部に位置し、前記タグが前記タグ収納構造に収納され、かつ前記紐の一端が前記タグに連結し、他端が前記貫通孔を通して前記本体と連結するティーパックと、を含むティーパック付きカップリッドにおいて、
前記カップリッドの前記該仕切板は、第１面と対向する第２面とを含み、かつ前記第１面が前記本体に向かうことを特徴とする、
ティーパック付きカップリッド。
【請求項９】
前記カップリッドは、前記蓋体の頂面に形成される凹溝を更に含み、前記タグ収納構造が前記凹溝内に設けられることを特徴とする、請求項８に記載のティーパック付きカップリッド。
【請求項１０】
前記カップリッドは、前記蓋体の頂面に形成される凹溝を更に含み、前記飲み口構造が前記凹溝内に設けられ、前記タグ収納構造が前記飲み口構造の前記リフトアップ蓋上に設けられることを特徴とする、請求項８に記載のティーパック付きカップリッド。
【請求項１１】
前記カップリッドは、第１ガイド溝と第２ガイド溝とを更に含み、前記第１ガイド溝は前記蓋体の頂面に位置し、前記凹溝の底端から前記貫通孔に向けて延伸し、前記第２ガイド溝が前記凹溝の前端から前記蓋体の外周まで延伸することを特徴とする、請求項９又は１０に記載のティーパック付きカップリッド。
【請求項１２】
前記カップリッドは、前記飲み口構造方向と反対して前記突起嵌挿口から前記蓋体の外周まで延伸する第３ガイド溝を更に含むことを特徴とする、請求項８に記載のティーパック付きカップリッド。
【請求項１３】
前記蓋体の内部に位置し、各々前記蓋体及び前記仕切板に連結される少なくとも１本の支持板を更に含み、前記支持板と前記蓋体と前記仕切板が異なる平面に位置することを特徴とする、請求項８に記載のティーパック付きカップリッド。
【請求項１４】
前記蓋体の底部に突出外縁部を有し、前記突出外縁部にフック部が設けられ、前記タグが引っ張り状態において前記タグ収納構造から離脱し、前記タグで前記紐をけん引して前記フック部に掛止して前記タグを固定することを特徴とする、請求項８に記載のティーパック付きカップリッド。
【発明の詳細な説明】
【技術分野】
【０００１】
本発明は、カップリッドに関し、特に、タグ収納構造を備えたカップリッドに関する。
【背景技術】
【０００２】
ティーパック飲料文化が伝わってきてから久しく、ティーパック飲料はタイプが様々で、例えば、茶、コーヒー及び花茶等があり、飲用が人々に不可欠な飲食習慣となっている。現在の社会では、手作り又はインスタントの飲料を手に持つ人々が見られるようになってきており、使い捨て紙コップ及びカップリッドは忙しい現代人が便利に使用できる。
【０００３】
市場で流通して使用されているカップリッドは、飲用者が紐を操作することで、ティーパックの浸出の有無を決定するが、カップ内の茶の濃度をコントロールするには不便であった。またティーパックの浸出の間にタグがカップリッドの外で揺れてしまい、飲用者の持ち運び及び飲用上の不便があった。
【発明の概要】
【発明が解決しようとする課題】
【０００４】
上記課題を解決するために、鋭意研究を重ねた結果、以下の発明を完成するに至った。
【課題を解決するための手段】
【０００５】
本発明は、カップリッドを提供するものであり、一実施例において、蓋体とタグ収納構造とを含む。蓋体の頂面の異なる位置に飲み口構造及び貫通孔が形成され、飲み口構造がリフトアップ蓋と、リフトアップ蓋上に形成される突起と、リフトアップ蓋の一側に位置する突起嵌挿口とを含み、タグ収納構造は、蓋体の頂面に設けられ、蓋体の頂面から凸出する複数の挟持アームを含み、タグがタグ収納構造に挿設された場合、各挟持アームがタグの両側を挟持する。
【０００６】
上記カップリッドの一実施例において、カップリッドは、凹溝を更に含み、凹溝が蓋体の頂面に形成され、タグ収納構造が凹溝内に設けられる。
【０００７】
上記カップリッドの一実施例において、カップリッドは、蓋体の頂面に形成される凹溝を更に含み、飲み口構造が凹溝内に設けられ、タグ収納構造が飲み口構造のリフトアップ蓋上に設けられる。
【０００８】
上記カップリッドの一実施例において、カップリッドは、第１ガイド溝と第２ガイド溝とを更に含み、第１ガイド溝は蓋体の頂面に位置し、凹溝の底端から貫通孔に向けて延伸し、第２ガイド溝が凹溝の前端から蓋体の外周まで延伸する。
【０００９】
上記カップリッドの一実施例において、カップリッドは、飲み口構造方向と反対して突起嵌挿口から蓋体の外周まで延伸する第３ガイド溝を更に含む。
【００１０】
上記カップリッドの一実施例において、カップリッドは、蓋体の頂面下方に設けられ、蓋体の内部に位置する仕切板を更に含み、仕切板の上端と蓋体が飲み口構造と貫通孔との間に連結される。
【００１１】
上記カップリッドの一実施例において、カップリッドは、蓋体の内部に位置し、各々蓋体及び仕切板に連結される少なくとも１本の支持板を更に含み、支持板と蓋体と仕切板が異なる平面に位置する。
【００１２】
上記カップリッドの一実施例において、蓋体の底部に突出外縁部を有し、突出外縁部にフック部が設けられる。
【００１３】
本発明では、ティーパック付きカップリッドを更に提供し、一実施例において、上記カップリッドとティーパックとを含む。ティーパックは、本体と紐とタグとを含み、本体が蓋体の内部に位置し、タグがタグ収納構造に収納され、かつ紐の一端がタグに連結し、他端が貫通孔を通して本体と連結する。
【００１４】
上記ティーパック付きカップリッドの一実施例において、カップリッドは、蓋体の頂面に形成される凹溝を更に含み、タグ収納構造が凹溝内に設けられる。
【００１５】
上記ティーパック付きカップリッドの一実施例において、カップリッドは、蓋体の頂面に形成される凹溝を更に含み、飲み口構造が凹溝内に設けられ、タグ収納構造が飲み口構造のリフトアップ蓋上に設けられる。
【００１６】
上記ティーパック付きカップリッドの一実施例において、カップリッドは、第１ガイド溝と第２ガイド溝とを更に含み、第１ガイド溝は蓋体の頂面に位置し、凹溝の底端から貫通孔に向けて延伸し、第２ガイド溝が凹溝の前端から蓋体の外周まで延伸する。
【００１７】
上記ティーパック付きカップリッドの一実施例において、カップリッドは、飲み口構造方向と反対して突起嵌挿口から蓋体の外周まで延伸する第３ガイド溝を更に含む。
【００１８】
上記ティーパック付きカップリッドの一実施例において、カップリッドは、蓋体の頂面下方に設けられ、蓋体の内部に位置する仕切板を更に含み、仕切板の上端と蓋体が飲み口構造と貫通孔との間に連結され、仕切板が第１面と、対向する第２面とを含み、かつ第１面が本体に向かう。
【００１９】
上記ティーパック付きカップリッドの一実施例において、蓋体の内部に位置し、各々蓋体及び仕切板に連結される少なくとも１本の支持板を更に含み、支持板と蓋体と仕切板が異なる平面に位置する。
【００２０】
上記ティーパック付きカップリッドの一実施例において、蓋体の底部に突出外縁部を有し、突出外縁部にフック部が設けられ、タグが引っ張り状態においてタグ収納構造から離脱し、タグで紐をけん引してフック部に掛止してタグを固定する。
【発明の効果】
【００２１】
本発明のカップリッドの一実施例は、飲用者に便利な飲用方式を提供し、ティーパックのタグがタグ収納構造に置かれて揺動することがない。飲用者がタグを引っ張った時、カップリッドが第１ガイド溝、第２ガイド溝（或いは第３ガイド溝）を備えて紐の移動を助ける。更に、カップリッドは仕切板を備え、蓋体内部にティーパック本体を効果的に仕切り、飲用者の飲用時、ティーパック本体が飲み口構造の下に落下して飲み口構造を塞ぐことがないため、飲用者の飲用を邪魔することがなく、使用上非常に便利である。
【図面の簡単な説明】
【００２２】
【図１】本発明の実施例１に係るカップリッドの立体図である。
【図２】本発明の実施例２に係るカップリッドの立体図である。
【図３】本発明の実施例３に係るカップリッドの立体図である。
【図４】本発明の実施例４に係るカップリッドの立体図である。
【図５】本発明に係るカップリッドのフック部の一実施例の立体図である。
【図６】本発明に係るカップリッドのフック部の一実施例の立体図である。
【図７Ａ】本発明の実施例１に係るカップリッドの下面図である。
【図７Ｂ】本発明の実施例１に係るカップリッドの部分図である。
【図８Ａ】本発明の実施例２に係るカップリッドの下面図である。
【図８Ｂ】本発明の実施例２に係るカップリッドの部分図である。
【図９Ａ】本発明の実施例３に係るカップリッドの下面図である。
【図９Ｂ】本発明の実施例３に係るカップリッドの部分図である。
【図１０Ａ】本発明の実施例４に係るカップリッドの下面図である。
【図１０Ｂ】本発明の実施例４に係るカップリッドの部分図である。
【図１１Ａ】本発明の一実施例に係るカップリッドの下面図である。
【図１１Ｂ】本発明の一実施例に係るカップリッドの部分図である。
【図１２Ａ】本発明の別の実施例に係るカップリッドの下面図である。
【図１２Ｂ】本発明の別の実施例に係るカップリッドの部分図である。
【図１３】本発明の実施例１に係るティーパック付きカップリッドの立体図である。
【図１４】本発明の実施例２に係るティーパック付きカップリッドの立体図である。
【図１５】本発明の実施例３に係るティーパック付きカップリッドの立体図である。
【図１６】本発明の実施例４に係るティーパック付きカップリッドの立体図である。
【図１７】本発明の一実施例に係るカップリッドの使用の様子を示す図である。
【発明を実施するための形態】
【００２３】
図１乃至図４は、本発明の実施例１〜実施例４に係るカップリッド１の立体図である。
カップリッド１は、蓋体１１とタグ収納構造１２とを含む。蓋体１１の頂面の異なる位置に飲み口構造１１１及び貫通孔１１２が形成され、飲み口構造１１１がリフトアップ蓋１１１ａと、リフトアップ蓋１１１ａ上に形成される突起１１１ｂと、リフトアップ蓋１１１ａの一側に位置する突起嵌挿口１１１ｃとを含む。一実施例（例えば実施例１、実施例３）において、蓋体１１上にはスリット構造１１３を有し、その中に貫通孔１１２が開設され、スリット構造１１３の一側に突条１１３１を有し、このスリット構造１１３を介して蓋体１１上にリフトアップできる。
スリット構造１１３は、次の機能を具える。（１）ティーパックのタグが通過する通路を提供し、（２）飲用、持ち運び時タグがカップ内に落ちるのを防止でき、（３）放熱を助け、貫通孔１１２はティーパックの紐の移動通路を提供し、タグ収納構造１２は、蓋体１１の頂面に設けられ、蓋体１１の頂面から凸出する複数の挟持アーム１２１を含み、タグがタグ収納構造１２に挿設された場合、各挟持アーム１２１がタグの両側を挟持する。
実施例１、実施例３において、挟持アーム１２１の下方に穴部１９を有しており、飲用者の需要（放熱又は構造設計）を見て蓋体１１上に開設することができる。本発明はこれに限定されない。
【００２４】
飲み口構造１１１は、飲用者に飲用のための通り道を提供する。リフトアップ蓋１１１ａは通常において、飲み口構造１１１の開口部を閉じており、飲用者が飲用した時、リフトアップ蓋１１１ａがリフトアップでき、突起１１１ｂ及び突起嵌挿口１１１ｃの構造を利用してリフトアップ蓋１１１ａを固定する。
実施例２において、図２に示すように、突起１１１ｂ上に凹み構造を有する。この構造設計は突起１１１ｂ及び突起嵌挿口１１１ｃの構造がリフトアップ蓋１１１ａに固定された時、ティーパック紐の移動に影響を与えない。言い換えると、突起１１１ｂが突起嵌挿口１１１ｃに嵌め込まれた時、凹み構造と突起嵌挿口１１１ｃの間に１つの通路が形成され、ティーパックの紐が移動過程中にも影響を受けない。
【００２５】
図１乃至図４に示すように、タグ収納構造１２は、タグ収納空間を提供し、タグがタグ収納構造１２に挿設された時、各挟持アーム１２１がタグの両側を挟持し、タグが蓋体１１の外で揺動するのを防止する。実施例２において、タグ収納構造１２は、補助構造１２２を更に含み、図２に示すように、補助構造１２２がティーパックのタグ当接支持を助けてタグがタグ収納構造収納範囲を超えさせない。又は補助構造１２２は、飲用者のタグ引張りを助け、例えば第３実施例において、補助構造１２２は、図３に示すように、飲用者の引きを図るため、収納するタグを凸起して傾斜させる。
実施例３及び実施例４に比べて、実施例１及び実施例２は、タグ収納構造１２が当接支持部１２３を更に含み、ティーパックタグの底部に当接支持することで、タグが滑り落ち又は落下しにくい。実施例１の当接支持部１２３は段差のある凸条構造であり、実施例２の当接支持部１２３は２つの凸部構造であるが、本発明はこれに限定されない。
【００２６】
カップリッド１は、凹溝１３を更に含み、凹溝１３が蓋体１１の頂面に形成され、実施例１〜３において、タグ収納構造１２は凹溝１３内（図１乃至図３）に設けられる。実施例３において、凹溝の底部をティーパックのタグに当接支持する部材とする。また実施例４は、タグ収納構造１２の底端をティーパックのタグへの当接支持に用いる。
【００２７】
実施例１、実施例２における、実施例３や実施例４との相違点の一つは、飲み口構造１１１が凹溝１３内に設けられ、タグ収納構造１２が飲み口構造１１１のリフトアップ蓋１１１ａ上に設けられることである。
【００２８】
また、実施例１、実施例２において、カップリッド１は第３ガイド溝１６を更に含み、図１、図２に示すように、飲用者のタグ及び紐の引張を便利にするため、第３ガイド溝１６が飲み口構造１１１の方向と反対して突起嵌挿口１１１ｃから蓋体１１の外周まで延伸する。
別の幾つかの実施例、例えば実施例３、実施例４のカップリッド１は、実施例１や実施例２と異なり、第１ガイド溝１４と第２ガイド溝１５とを更に含み、第１ガイド溝１４が蓋体１１の頂面に位置し、凹溝１３の底端から貫通孔１１２に向けて延伸し、第２ガイド溝１５が凹溝１３の前端から蓋体１１の外周まで延伸する。第１ガイド溝１４、第２ガイド溝１５は、上記第３ガイド溝１６の構造と異なり、同様に飲用者のタグ及び紐の引張を便利にするためのものである。
【００２９】
次に、図１乃至図４を参照する。実施例１〜実施例４において、蓋体１１の底部には突出外縁部１７を有し、突出外縁部１７にフック部１７１が設けられ、フック部１７１がタグ及び紐固定効果を提供する。
【００３０】
更に図２及び図４を参照する。実施例２、実施例４において、実施例１や実施例３との相違点の一つは、実施例２、実施例４の蓋体１１の側壁上に複数の凸起構造を有することであり、この設計がカップリッド１全体の支持強度の強化を助け、かつ美観上の効果を奏する。
【００３１】
図５及び図６は、各々本発明に係るカップリッドのフック部の一実施例の立体図である。
フック部１７１は、凹み部１７１１（図５）又は２つの凹み部１７１１（図６）を備えた構造設計とすることができ、凹み部も傾斜型切欠き構造でもよく、本発明では制限されない。飲用者はティーパックの浸出時間が所要時間（茶が所要の濃度に達した時）になって浸出が必要ないと認定した時、タグをタグ収納構造１２から引き出して紐をフック部１７１に移動させて固定する。この時ティーパック本体が液面から離脱し、蓋体１１の内部に到達する。
一実施例において、上記第１、第２ガイド溝１５（或いは第３ガイド溝１６のみ）を組み合わせると、飲用者はタグ及び紐を引っ張りやすくなり、紐をフック部１７１に巻き付けて固定し又は巻き付けない方法で直接タグ、紐を凹み部に係止する。一実施例において、フック部１７１は凹み部１７１１を備えていた場合、ティーパックの紐及びタグを直接嵌合して固定させることができる。フック部１７１が２つの凹み部１７１１を備えていた場合、ティーパックの紐及びタグを巻き付け方法で固定させることができ、固定後飲用者が茶を飲用できる。これに対して飲用者が更にティーパックを浸出しようとする時、タグ及び紐をフック部１７１から解くことで、ティーパックをお湯内に浸出させ、飲用者はタグをタグ収納構造１２に再度置くことができるため、操作が非常に便利である。
【００３２】
図７Ａ乃至図１０Ｂを参照する。図７Ａ、図８Ａ、図９Ａ及び図１０Ａは、本発明の実施例１〜４に係るカップリッド１の部分図である。図７Ｂ、図８Ｂ、図９Ｂ及び図１０Ｂは、本発明の実施例１〜４に係るカップリッド１の下面図である。
カップリッド１は、蓋体１１の頂面下方に設けられ、蓋体１１の内部に位置する仕切板１８を更に含み、仕切板１８の上端と蓋体１１が飲み口構造１１１と貫通孔１１２の間に連結される。仕切板１８は、真直、円弧形又は曲率を有する構造とすることができ、第１面１８１と対向する第２面１８２とを含む。ティーパック２がカップリッド１内にある時、第１面１８１がティーパック２の本体２１に向かう。言い換えると、仕切板１８は、蓋体１１の内部でティーパック２の本体２１を効果的に仕切り、飲用者の飲用時、ティーパック２本体２１が飲み口構造１１１下に落ち込んで飲み口構造１１１の開口部を塞ぐことがない。
【００３３】
図１１Ａ乃至図１２Ｂを参照する。図１１Ａ及び図１１Ｂは、本発明の一実施例に係るカップリッド１の部分図及び上面図である。図１２Ａ及び図１２Ｂは、本発明の一実施例に係るカップリッド１の部分図及び上面図である。
ここで、実施例１で説明すると、カップリッド１は蓋体１１の内部に位置し、各々蓋体１１及び仕切板１８に連結される少なくとも１本の支持板１０を更に含み、支持板１０と蓋体１１と仕切板１８が異なる平面に位置する。支持板は、上記第１面１８１又は第２面１８２上に設けられることができる。支持板１０は、仕切板１８を支える効果を有し、仕切板１８が茶の流動、ティーパック当接の衝撃を受けて変形、毀損するのを防止する。また、支持板１０は、第１面１８１上に設けられた場合、ティーパックの位置を制限する効果を兼ね備える。上記実施例２〜４は、同様に支持板１０を仕切板の第１面１８１或いは第２面１８２上に取り付けることができ、本発明は上記実施例１に限定されない。
【００３４】
図１３乃至図１６は各々本発明の一実施例に係るティーパック２付きカップリッド１の立体図である。
ティーパック２付きカップリッド１は、カップリッド１とティーパック２とを含み、カップリッド１が上記実施例のいずれかで示されるカップリッド１とすることができ、その構造はここでその説明を省略する。ティーパック２は、本体２１と紐２２とタグ２３とを含み、本体２１が蓋体１１内部に位置し、タグ２３がタグ収納構造１２に収納され、かつ紐２２の一端がタグ２３に連結し、他端が貫通孔１１２を通して本体２１と連結する。
【００３５】
図１７は本発明の一実施例に係るカップリッド１の使用の様子を示す図である。
図に示すように、飲用者は本発明に係るカップリッドを利用し、ティーパック、茶のカップ本体を組み合わせて使用する。飲用者が淹れる際、ティーパックタグ２３をタグ収納構造１２に置くことができ、飲用者が適切な濃度と見た時、蓋体１１の底部の突出外縁部１７上のフック部１７１を利用してタグ２３が引っ張り状態においてタグ収納構造１２から離脱し、タグ２３が紐をけん引してフック部１７１に巻き付け、又はタグ２３を直接固定し、飲用者は随意にリフトアップ蓋１１１ａを開いて茶を飲用できる。これを図１７に示す。
上記実施例２〜４は同じ使用態様を有し、属する技術分野における通常の知識を有する者は、上記カップリッドの使用方法を直接的且つ一義的に理解できるため、ここではその説明を省略する。
【００３６】
本発明に係るカップリッドの実施例は、タグ収納構造を提供してタグを揺動させない。かつその他の実施例において、第１、第２ガイド溝（或いは第３ガイド溝）を提供して飲用者の紐の引張を助け、フック部を組み合わせてタグを固定することは、より一層実用性が高い。また、飲用者がスムーズに飲用できるように、一実施例において、カップリッドは仕切板を更に含み、仕切板がティーパック本体を飲み口構造に滑り落ち（落下）て、飲み口を塞ぐのを防止できる。
【００３７】
本発明に係るカップリッドの実施例において、タグ収納構造、飲み口構造、第１ガイド溝、第２ガイド溝（或いは第３ガイド溝）、フック部及び仕切板等のような上記の構造の特徴は、飲用者又は販売者の需要を見て随意に組み合わせて使用でき、本発明内に挙げられた実施例に限定されない。本発明に係るカップリッドの実施例は、飲用者に操作が簡単で、持ち運びに便利で、飲用がスムーズなカップリッドを提供する。
【００３８】
上述の説明は、単に本発明の最良の実施例を挙げたまでであり、本発明を限定しない。その他本発明の開示する要旨を逸脱することなく完成された同等な効果の修飾または置換はいずれも後述の特許請求の範囲に含まれる。
【符号の説明】
【００３９】
１０  支持板
１００  ティーパック付きカップリッド
１  カップリッド
１１  蓋体
１１１  飲み口構造
１１１ａ  リフトアップ蓋
１１１ｂ  突起
１１１ｃ  突起嵌挿口
１１２  貫通孔
１１３  スリット構造
１１３１  突条
１２  タグ収納構造
１２１  挟持アーム
１２２  補助構造
１２３  当接支持部
１３  凹溝
１４  第１ガイド溝
１５  第２ガイド溝
１６  第３ガイド溝
１７  突出外縁部
１７１  フック部
１７１１  凹み部
１８  仕切板
１８１  第１面
１８２  第２面
１９  穴部
２  ティーパック
２１  本体
２２  紐
２３  タグ
【図１】
2018177370.tif 000003
【図２】
2018177370.tif 000004
【図３】
2018177370.tif 000005
【図４】
2018177370.tif 000006
【図５】
2018177370.tif 000007
【図６】
2018177370.tif 000008
【図７Ａ】
2018177370.tif 000009
【図７Ｂ】
2018177370.tif 000010
【図８Ａ】
2018177370.tif 000011
【図８Ｂ】
2018177370.tif 000012
【図９Ａ】
2018177370.tif 000013
【図９Ｂ】
2018177370.tif 000014
【図１０Ａ】
2018177370.tif 000015
【図１０Ｂ】
2018177370.tif 000016
【図１１Ａ】
2018177370.tif 000017
【図１１Ｂ】
2018177370.tif 000018
【図１２Ａ】
2018177370.tif 000019
【図１２Ｂ】
2018177370.tif 000020
【図１３】
2018177370.tif 000021
【図１４】
2018177370.tif 000022
【図１５】
2018177370.tif 000023
【図１６】
2018177370.tif 000024
【図１７】
2018177370.tif 000025
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
頂面の異なる位置に飲み口構造及び貫通孔が形成され、前記飲み口構造がリフトアップ蓋と、前記リフトアップ蓋上に形成される突起と、前記リフトアップ蓋の一側に位置する突起嵌挿口とを含む蓋体と、
前記蓋体の頂面に設けられ、前記蓋体の頂面から凸出する複数の挟持アームを含み、タグがタグ収納構造に挿設された場合、前記各挟持アームが前記タグの両側を挟持するタグ収納構造と、
蓋体の頂面下方に設けられ、前記蓋体の内部に位置し、その上端と前記蓋体が前記飲み口構造と前記貫通孔との間に連結される仕切板と、を含み、
前記蓋体の頂面に形成される凹溝を更に含み、前記タグ収納構造が前記凹溝内に設けられることを特徴とする、
カップリッド。
【請求項２】
頂面の異なる位置に飲み口構造及び貫通孔が形成され、前記飲み口構造がリフトアップ蓋と、前記リフトアップ蓋上に形成される突起と、前記リフトアップ蓋の一側に位置する突起嵌挿口とを含む蓋体と、
前記蓋体の頂面に設けられ、前記蓋体の頂面から凸出する複数の挟持アームを含み、タグがタグ収納構造に挿設された場合、前記各挟持アームが前記タグの両側を挟持するタグ収納構造と、
蓋体の頂面下方に設けられ、前記蓋体の内部に位置し、その上端と前記蓋体が前記飲み口構造と前記貫通孔との間に連結される仕切板と、を含み、
前記蓋体の頂面に形成される凹溝を更に含み、前記飲み口構造が前記凹溝内に設けられ、前記タグ収納構造が前記飲み口構造の前記リフトアップ蓋上に設けられることを特徴とする、
カップリッド。
【請求項３】
第１ガイド溝と第２ガイド溝とを更に含み、前記第１ガイド溝は前記蓋体の頂面に位置し、前記凹溝の底端から前記貫通孔に向けて延伸し、前記第２ガイド溝が前記凹溝の前端から前記蓋体の外周まで延伸することを特徴とする、請求項１又は２に記載のカップリッド。
【請求項４】
前記飲み口構造の方向と反対して前記突起嵌挿口から前記蓋体の外周まで延伸する第３ガイド溝を更に含むことを特徴とする、請求項１又は２に記載のカップリッド。
【請求項５】
前記蓋体の内部に位置し、各々前記蓋体及び前記仕切板に連結される少なくとも１本の支持板を更に含み、前記支持板と前記蓋体と前記仕切板が異なる平面に位置することを特徴とする、請求項１又は２に記載のカップリッド。
【請求項６】
前記蓋体の底部に突出外縁部を有し、前記突出外縁部にフック部が設けられることを特徴とする、請求項１又は２に記載のカップリッド。
【請求項７】
請求項１又は２に記載のカップリッドと、
本体と紐とタグとを含み、前記本体が前記蓋体の内部に位置し、前記タグが前記タグ収納構造に収納され、かつ前記紐の一端が前記タグに連結し、他端が前記貫通孔を通して前記本体と連結するティーパックと、を含むティーパック付きカップリッドにおいて、
前記カップリッドの前記該仕切板は、第１面と対向する第２面とを含み、かつ前記第１面が前記本体に向かい、
前記カップリッドは、前記蓋体の頂面に形成される凹溝を更に含み、前記タグ収納構造が前記凹溝内に設けられることを特徴とする、
ティーパック付きカップリッド。
【請求項８】
請求項１又は２に記載のカップリッドと、
本体と紐とタグとを含み、前記本体が前記蓋体の内部に位置し、前記タグが前記タグ収納構造に収納され、かつ前記紐の一端が前記タグに連結し、他端が前記貫通孔を通して前記本体と連結するティーパックと、を含むティーパック付きカップリッドにおいて、
前記カップリッドの前記該仕切板は、第１面と対向する第２面とを含み、かつ前記第１面が前記本体に向かい、
前記カップリッドは、前記蓋体の頂面に形成される凹溝を更に含み、前記飲み口構造が前記凹溝内に設けられ、前記タグ収納構造が前記飲み口構造の前記リフトアップ蓋上に設けられることを特徴とする、
ティーパック付きカップリッド。
【請求項９】
前記カップリッドは、第１ガイド溝と第２ガイド溝とを更に含み、前記第１ガイド溝は前記蓋体の頂面に位置し、前記凹溝の底端から前記貫通孔に向けて延伸し、前記第２ガイド溝が前記凹溝の前端から前記蓋体の外周まで延伸することを特徴とする、請求項７又は８に記載のティーパック付きカップリッド。
【請求項１０】
前記カップリッドは、前記飲み口構造方向と反対して前記突起嵌挿口から前記蓋体の外周まで延伸する第３ガイド溝を更に含むことを特徴とする、請求項７又は８に記載のティーパック付きカップリッド。
【請求項１１】
前記蓋体の内部に位置し、各々前記蓋体及び前記仕切板に連結される少なくとも１本の支持板を更に含み、前記支持板と前記蓋体と前記仕切板が異なる平面に位置することを特
徴とする、請求項７又は８に記載のティーパック付きカップリッド。
【請求項１２】
前記蓋体の底部に突出外縁部を有し、前記突出外縁部にフック部が設けられ、前記タグが引っ張り状態において前記タグ収納構造から離脱し、前記タグで前記紐をけん引して前記フック部に掛止して前記タグを固定することを特徴とする、請求項７又は８に記載のティーパック付きカップリッド。